(57)【要約】【課題】熱交換能力を高めたヒートポンプ装置を提供する。【解決手段】ヒートポンプ装置１０は、互いに対向する第１側壁１４及び第２側壁１５、並びに上壁１２を有する筐体１１と、筐体１１内に収容される熱交換装置２５及びファン３７，６５と、を備え、第１側壁１４及び第２側壁１５には、それぞれ第１空気取入口１９及び第２空気取入口２０が設けられ、上壁１２には、第１空気吹出口２２が設けられ、熱交換装置２５が、第１側壁１４に沿って配置された第１熱交換部３３と第２側壁１５に沿って配置された第２熱交換部３４を含み、ファン３７，６５が、第１熱交換部３３と第２熱交換部３４との間に挟まれて配置され、第１側壁１４及び第２側壁１５に交差する方向の回転軸４０を有し、第１空気取入口１９及び第２空気取入口２０から空気を取り入れて第１空気吹出口２２から空気を排出する。【選択図】図２
2020173090.tif 000002
【特許請求の範囲】
【請求項１】
互いに対向する第１側壁（１４）及び第２側壁（１５）、並びに上壁（１２）を有する筐体（１１）と、
前記筐体（１１）内に収容される熱交換装置（２５）及びファン（３７，６５）と、を備え、
前記第１側壁（１４）及び前記第２側壁（１５）には、それぞれ第１空気取入口（１９）及び第２空気取入口（２０）が設けられ、
前記上壁（１２）には、第１空気吹出口（２２、６１）が設けられ、
前記熱交換装置（２５）が、前記第１側壁（１４）に沿って配置された第１熱交換部（３３）と、前記第２側壁（１５）に沿って配置された第２熱交換部（３４）と、を含み、
前記ファン（３７，６５）が、前記第１熱交換部（３３）と前記第２熱交換部（３４）との間に挟まれて配置され、前記第１側壁（１４）及び前記第２側壁（１５）に交差する方向の回転軸心（Ｃ１）を有し、前記第１空気取入口（１９）及び前記第２空気取入口（２０）から空気を取り入れて前記第１空気吹出口（２２、６１）へ空気を排出する、ヒートポンプ装置。
【請求項２】
前記第１熱交換部（３３）と前記第２熱交換部（３４）とが分離している、請求項１に記載のヒートポンプ装置。
【請求項３】
前記筐体（１１）が、前記第１側壁（１４）と前記第２側壁（１５）との近接する端部同士を接続する第３側壁（１６）を有しており、
前記第３側壁（１６）に第２空気吹出口（６２）が形成されている、請求項２に記載のヒートポンプ装置。
【請求項４】
前記ファン（６５）を収容するファンハウジング（４６）を筐体（１１）内に備え、
前記ファンハウジング（４６）が、前記第１空気吹出口（６１）に対向する第１吐出口（６３）と、前記第２空気吹出口（６２）に対向する第２吐出口（６４）とを有する、請求項３に記載のヒートポンプ装置。
【請求項５】
前記筐体（１１）が、前記第１側壁（１４）と前記第２側壁（１５）との近接する端部同士を接続する第３側壁（１６）を有しており、
前記第３側壁（１６）に第３空気取入口（２１）が設けられ、
前記熱交換装置（２５）が、前記第３側壁に（１６）沿って配置された第３熱交換部（３５）を含む、請求項１に記載のヒートポンプ装置。
【請求項６】
前記第１熱交換部（３３）、前記第２熱交換部（３４）、及び前記第３熱交換部（３５）が一体に形成されている、請求項５に記載のヒートポンプ装置。
【請求項７】
前記第１空気吹出口（６１）が、前記第１側壁（１４）及び前記第２側壁（１５）に沿った水平な方向における前記第１熱交換部（３３）及び前記第２熱交換部（３４）の長さに渡る範囲で形成されている、請求項１〜４のいずれか１項に記載のヒートポンプ装置。
【請求項８】
前記ファン（６５）を収容するファンハウジング（４６）を前記筐体（１１）内に備え、
前記ファンハウジング（４６）が、前記第１空気吹出口（６１）に対向する第１吐出口（６３）を有し、
前記第１側壁（１４）及び前記第２側壁（１５）に沿った水平な方向における前記筐体（１１）の一側部に機械室（Ｓ２）が形成され、前記第１吐出口（６３）を鉛直方向の上方から見たときに前記第１吐出口（６３）が前記機械室（Ｓ２）に重なっている、請求項１〜７のいずれか１項に記載のヒートポンプ装置。
【請求項９】
前記熱交換装置（２５）が、アルミニウム製又はアルミニウム合金製の扁平多穴管からなる伝熱管（２８）を有している、請求項１〜８のいずれか１項に記載のヒートポンプ装置。
【請求項１０】
前記ファン（３７，６５）が、前記第１空気取入口（１９）から空気を取り入れる第１翼部（４１）と、前記第２空気取入口（２０）から空気を取り入れる第２翼部（４２）と、前記第１翼部（４１）及び前記第２翼部（４２）を回転させる１台のモータ（４３）とを備える、請求項１〜９のいずれか１項に記載のヒートポンプ装置。
【請求項１１】
前記ファン（３７，６５）の回転軸心方向の一側部において、前記ファン（３７，６５）を片持ち状に支持する支持台（４４）を有する、請求項１〜１０のいずれか１項に記載のヒートポンプ装置。
【請求項１２】
前記ファン（６５）が、斜流ファンである、請求項１〜１１のいずれか１項に記載のヒートポンプ装置。
【請求項１３】
前記筐体（１１）の底面積が、０．６ｍ２以下である、請求項１〜１２のいずれか１項に記載のヒートポンプ装置。
【請求項１４】
重量が１１０ｋｇ以下である、請求項１〜１３のいずれか１項に記載のヒートポンプ装置。
【発明の詳細な説明】
【技術分野】
【０００１】
本開示は、ヒートポンプ装置に関する。
【背景技術】
【０００２】
ヒートポンプ装置の一態様である空気調和機として、特許文献１に記載されたものが知られている。この空気調和機の室外機は、筐体と、筐体の内部に配置された熱交換器及びファンとを備えている。筐体は、平面視で長方形状に形成され、熱交換器は、筐体の隣接する２つの側壁に沿うように平面視Ｌ字状に形成されている。ファンは、筐体の２つの前記側壁から空気を取り入れて熱交換器に通過させ、筐体の上壁から空気を吹き出すように構成されている。
【先行技術文献】
【特許文献】
【０００３】
【特許文献１】実開昭６０−１１１４６６号公報
【発明の概要】
【発明が解決しようとする課題】
【０００４】
特許文献１に記載された室外機は、中小規模の設備に適用されることが多く、大型ビル等に適用される室外機に比べて小型に形成されているので、運搬や設置作業が比較的容易である。このような室外機における熱交換能力を高めることによって、小型でありながらより規模の大きな設備にも適用できるようにすることが望まれる。
【０００５】
本開示は、熱交換能力を高めたヒートポンプ装置を提供することを目的とする。
【課題を解決するための手段】
【０００６】
（１）本開示のヒートポンプ装置は、
互いに対向する第１側壁及び第２側壁、並びに上壁を有する筐体と、
前記筐体内に収容される熱交換装置及びファンと、を備え、
前記第１側壁及び前記第２側壁には、それぞれ第１空気取入口及び第２空気取入口が設けられ、
前記上壁には、第１空気吹出口が設けられ、
前記熱交換装置が、前記第１側壁に沿って配置された第１熱交換部と、前記第２側壁に沿って配置された第２熱交換部とを含み、
前記ファンが、前記第１熱交換部と前記第２熱交換部との間に挟まれて配置され、前記第１側壁及び前記第２側壁に交差する方向の回転軸心を有し、前記第１空気取入口及び前記第２空気取入口から空気を取り入れて前記第１空気吹出口へ空気を排出する。
【０００７】
以上のような構成によって、筐体の互いに対向する第１側壁及び第２側壁の第１空気取入口及び第２空気取入口の双方から空気を吸い込み、第１、第２側壁に沿って配置された第１、第２熱交換部において熱交換を行うことができるので、熱交換能力を向上させることができる。
【０００８】
（２）好ましくは、前記第１熱交換部と前記第２熱交換部とが分離している。
【０００９】
（３）好ましくは、前記筐体が、前記第１側壁と前記第２側壁との近接する端部同士を接続する第３側壁を有しており、
前記第３側壁に第２空気吹出口が形成されている。
この構成によれば、第１空気吹出口からだけでなく第２空気吹出口からも空気を吹き出すことができ、空気の吹出抵抗を小さくし、風量を増大することができる。
【００１０】
（４）好ましくは、前記ファンを収容するファンハウジングを筐体内に備え、
前記ファンハウジングが、前記第１空気吹出口に対向する第１吐出口と、前記第２空気吹出口に対向する第２吐出口とを有する。
【００１１】
（５）好ましくは、前記筐体が、前記第１側壁と前記第２側壁との近接する端部同士を接続する第３側壁を有しており、
前記第３側壁に第３空気取入口が設けられ、
前記熱交換装置が、前記第３側壁に沿って配置された第３熱交換部を含む。
このような構成によって、熱交換装置が、筐体の第１、第２、及び第３側壁の３つの側壁に沿って配置された熱交換部を有することになり、熱交換能力をより向上させることができる。
【００１２】
（６）好ましくは、前記第１熱交換部、前記第２熱交換部、及び前記第３熱交換部が一体に形成されている。
このような構成によって、第１、第２、及び第３熱交換部が、それぞれ別体の熱交換器により構成される場合に比べて、熱交換装置の構造を簡素化し小型化することができる。
【００１３】
（７）好ましくは、前記第１空気吹出口が、前記第１側壁及び前記第２側壁に沿った水平な方向における、前記第１熱交換部及び前記第２熱交換部の長さに渡る範囲で形成されている。そのため、第１側壁及び第２側壁に沿った水平な方向に第１空気吹出口を拡大し、ファンの風量を増大することができる。
【００１４】
（８）好ましくは、前記ファンを収容するファンハウジングを筐体内に備え、
前記ファンハウジングが、前記第１空気吹出口に対向する第１吐出口を有し、
前記第１側壁及び前記第２側壁に沿った水平な方向における前記筐体の一側部に機械室が形成され、前記第１吐出口を鉛直方向の上方から見たときに前記第１吐出口が前記機械室に重なっている。
このような構成によって、第１側壁及び第２側壁に沿った水平な方向に第１吐出口を拡大し、ファンの風量を増大することができる。
【００１５】
（９）好ましくは、前記熱交換装置が、アルミニウム製又はアルミニウム合金製の扁平多穴管からなる伝熱管を有している。
このような構成によって、熱交換装置の熱交換能力を向上させることができる。
【００１６】
（１０）好ましくは、前記ファンが、前記第１空気取入口から空気を取り入れる第１翼部と、前記第２空気取入口から空気を取り入れる第２翼部と、第１、第２翼部を回転させる１台のモータとを備える。
このような構成によって、１台のモータによって第１翼部と第２翼部との双方を駆動し、第１空気取入口及び第２空気取入口の双方から空気を取り入れることができる。
【００１７】
（１１）好ましくは、ヒートポンプ装置が、前記ファンの回転軸心方向の一側部において、前記ファンを片持ち状に支持する支持台を有する。
この構成によれば、支持台によってファンを片持ち支持することで筐体の小型化を図ることができる。
【００１８】
（１２）好ましくは、前記ファンが、斜流ファンである。
この構成によれば、斜流ファンは、ターボファン等の遠心ファンに比べて有効吸込面積を拡大することができ、第１熱交換部及び第２熱交換部において効率よく熱交換することができる。
【００１９】
（１３）好ましくは、前記筐体の底面積が、０．６ｍ２以下である。
このような構成によって、最大定員が最小（６人乗り）のエレベータであってもヒートポンプ装置を積載して運搬することができる。
【００２０】
（１４）好ましくは、ヒートポンプ装置の重量が１１０ｋｇ以下である。
このような構成によって、二人作業でヒートポンプ装置を運搬することができる。
【図面の簡単な説明】
【００２１】
【図１】第１の実施形態に係るヒートポンプ装置の斜視図である。
【図２】ヒートポンプ装置の概略的な水平断面図である。
【図３】ヒートポンプ装置の概略的な垂直断面図である。
【図４】図３のＢ部の拡大断面図である。
【図５】ファンのファンハウジングを示す斜視図である。
【図６】熱交換装置及びファン装置の変形例を示す概略的な水平断面図である。
【図７】第２の実施形態に係るヒートポンプ装置の斜視図である。
【図８】ヒートポンプ装置の概略的な水平断面図である。
【図９】ヒートポンプ装置の概略的な垂直断面図である。
【図１０】ファン及びファンハウジングを示す斜視図である。
【発明を実施するための形態】
【００２２】
以下、添付図面を参照しつつ、本開示の実施形態を詳細に説明する。
［第１の実施形態］
図１は、第１の実施形態に係るヒートポンプ装置の斜視図である。図２は、ヒートポンプ装置の概略的な水平断面図である。図３は、ヒートポンプ装置の概略的な垂直断面図である。本実施形態のヒートポンプ装置１０は、空気調和機や給湯装置などの室外機として用いられる。なお、以下の説明では、図２の右側を「前」、左側を「後」、下側を「左」、上側を「右」として説明する。しかし、これらの方向は説明の便宜のために定めたものであり、左右又は前後をそれぞれ入れ替えて読み替えたり、左右と前後とを相互に入れ替えて読み替えたりしてもよい。
【００２３】
室外機１０は、筐体１１を備えている。筐体１１は、直方体に形成され内部が中空の箱である。筐体１１は、上壁１２、下壁１３、及び側壁１４〜１７を有している。上壁１２及び下壁１３は、平面視で長方形に形成されている。側壁１４〜１７は、上壁１２と下壁１３との上下に対応する４辺同士を接続している。側壁１４〜１７は、上壁１２及び下壁１３の長辺同士を接続する左側壁（第１側壁）１４及び右側壁（第２側壁）１５と、上壁１２及び下壁１３の短辺同士を接続する前側壁（第３側壁）１６及び後側壁（第４側壁）１７とを含む。左側壁１４と右側壁１５とは上壁１２及び下壁１３の短辺に沿った方向に対向している。前側壁１６と後側壁１７とは、上壁１２及び下壁１３の長辺に沿った方向に対向している。室外機１０の重量は、例えば１１０ｋｇ以下とされる。
【００２４】
左側壁１４には、筐体１１内に空気を取り入れるための左側空気取入口（第１空気取入口）１９が形成されている。右側壁１５には、筐体１１内に空気を取り入れるための右側空気取入口（第２空気取入口）２０が形成されている。前側壁１６には、筐体１１内に空気を取り入れるための前側空気取入口（第３空気取入口）２１が形成されている。
【００２５】
図１及び図３に示すように、上壁１２には、筐体１１内から空気を吹き出すための空気吹出口２２，２３が形成されている。本実施形態の上壁１２には、後側空気吹出口（第１空気吹出口）２２と前側空気吹出口（第３空気吹出口）２３とが形成され、これらは前後方向に並べて配置されている。後側空気吹出口２２と前側空気吹出口２３とは、保護網２４で覆われている。
【００２６】
図２及び図３に示すように、室外機１０は、熱交換装置２５と、ファン装置２６とを備えている。熱交換装置２５及びファン装置２６は、筐体１１の内部に収容されている。筐体１１は、内部に熱交換室Ｓ１と機械室Ｓ２とを有している。熱交換室Ｓ１は、筐体１１内の前部側に配置され、熱交換装置２５及びファン装置２６が収容されている。機械室Ｓ２は、筐体１１内の後部側に配置され、図示しない圧縮機、四路切換弁、膨張弁、電装品ユニット等が収容されている。
【００２７】
図２に示すように、熱交換装置２５は、平面視（上面視）において左側壁１４、前側壁１６、及び右側壁１５に沿うようにＵ字状に折り曲げられられている。本実施形態では、熱交換装置２５のうち、左側壁１４に沿って配置された部分を左側熱交換部（第１熱交換部）３３という。熱交換装置２５のうち右側壁１５に沿って配置された部分を右側熱交換部（第２熱交換部）３４という。熱交換装置２５のうち前側壁１６に沿って配置された部分を前側熱交換部（第３熱交換部）３５という。したがって、熱交換装置２５は、左側熱交換部３３、右側熱交換部３４、及び前側熱交換部３５を有し、これらは一体に形成されている。なお、本実施形態では、後述する伝熱管２８が左側熱交換部３３、右側熱交換部３４及び前側熱交換部３５にわたって繋がっている。
【００２８】
図３及び図４に示すように、熱交換装置２５は、冷媒が流れる複数の伝熱管２８を有する。各伝熱管２８は、水平に配置されている。複数の伝熱管２８は、上下方向に並べて配置されている。複数の伝熱管２８の長手方向の端部は、図２に示すように、上下方向に沿って配置されたヘッダ２９，３０に接続されている。
【００２９】
本実施形態の伝熱管２８は、図４に示すように扁平多穴管からなる。伝熱管２８は、水平方向の長さ（幅）が上下方向の長さ（厚さ）よりも大きい横断面形状を有している。伝熱管２８の内部には、複数の冷媒流路２８ａが水平方向に並べて配置されている。上下に隣接する伝熱管２８の間には、フィン３１が設けられている。フィン３１は、伝熱管２８の長手方向に多数並べて設けられている。複数の伝熱管２８とフィン３１とは一体に組み立てられている。なお、本実施形態の熱交換装置２５では、伝熱管２８、ヘッダ２９，３０、及びフィン３１がアルミニウム製又はアルミニウム合金製である。
【００３０】
ファン装置２６は、メインファン（第１ファン）３７と、サブファン（第２ファン）３８とを含む。
メインファン３７は、左側熱交換部３３と右側熱交換部３４との間に挟まれた状態で配置されている。メインファン３７は、ターボファン等の遠心ファンである。メインファン３７は、左側壁１４と右側壁１５とに直交（交差）し、水平方向（左右方向）に沿って配置された回転軸４０を有する。なお、メインファン３７の回転軸４０は、厳密に水平方向に沿って配置されていなくてもよく、若干の傾斜を有していてもよい。以下、回転軸４０の軸心Ｃ１のことを、単に「回転軸心Ｃ１」ともいう。軸心Ｃ１に沿った方向のことを、「回転軸心方向」ともいう。
【００３１】
メインファン３７は、左翼部（第１翼部）４１と、右翼部（第２翼部）４２とを有する。左翼部４１と右翼部４２とは、回転軸心方向に隣接して設けられている。左翼部４１と右翼部４２とは一体回転可能である。例えば、左翼部４１と右翼部４２とは、個別に形成されたものが一体回転可能に連結される。または、左翼部４１と右翼部４２とは、当初より一体に形成される。
【００３２】
メインファン３７は、１台のモータ４３を備える。モータ４３の駆動軸は回転軸４０に連結されている。モータ４３は、回転軸４０を介して左右の翼部４１，４２を回転させる。
【００３３】
図２に示すように、モータ４３は、筐体１１内に設けられた支持台４４に支持されている。支持台４４は、メインファン３７の左右方向の一側部に配置されている。支持台４４は、メインファン３７を片持ち状に支持している。
【００３４】
メインファン３７の左翼部４１は、回転することによって主に筐体１１の左側壁１４（第１側壁）１４に形成された左側空気取入口（第１空気取入口）１９から回転軸心方向に空気を吸い込む。左翼部４１は、吸い込んだ空気を回転軸心Ｃ１に交差する平面に沿った方向、具体的に本実施形態では、回転軸心Ｃ１に直交する平面に沿った方向に空気を排出する。
【００３５】
右翼部４２は、回転することによって主に筐体１１の右側壁１５（第２側壁）に形成された右側空気取入口（第２空気取入口）２０から回転軸心方向に空気を吸い込む。右翼部４２は、吸い込んだ空気を回転軸心Ｃ１に交差する平面に沿った方向、具体的に本実施形態では、回転軸心Ｃ１に直交する平面に沿った方向に空気を排出する。
【００３６】
メインファン３７は、モータ４３によって図３の矢印ａ方向に回転し、矢印ｂ方向に空気を排出する。
左翼部４１及び右翼部４２は、回転することによって前側壁（第３側壁）１６に形成された前側空気取入口（第３空気取入口）２１からも空気を引き込んで吸い込むことができる。ただし、左翼部４１及び右翼部４２が前側空気取入口２１から取り入れる空気の量は、後述するサブファン３８が前側空気取入口２１から取り入れる空気の量に比べて少ない。
【００３７】
図２及び図３に示すように、メインファン３７の左翼部４１と右翼部４２とはファンハウジング４６内に収容されている。ファンハウジング４６は、図５にも示すように、左壁部（第１壁部）４７、右壁部（第２壁部）４８、前壁部（第３壁部）４９、後壁部（第４壁部）５０、及び底壁部５１を有している。左壁部４７と右壁部４８とは、メインファン３７の回転軸心方向において対向している。前壁部４９と後壁部５０とは、メインファン３７の回転軸心Ｃ１に直交する水平方向において対向している。左壁部４７には、左吸込口（第１吸込口）４７ａが形成されている。右壁部４８には、右吸込口（第２吸込口）４８ａが形成されている。ファンハウジング４６の上部には、第１吐出口５２が形成されている。
【００３８】
左吸込口４７ａ及び右吸込口４８ａは、メインファン３７の回転軸心Ｃ１を中心とする円形状の開口である。メインファン３７が回転すると、左側空気取入口１９及び右側空気取入口２０から取り入れられた空気が、左側熱交換部３３及び右側熱交換部３４を通過して左吸込口４７ａ及び右吸込口４８ａからファンハウジング４６内に吸い込まれる。
【００３９】
ファンハウジング４６の第１吐出口５２は、左右壁部４７，４８及び前後壁部４９，５０の上端縁によって囲まれて形成された開口である。ファンハウジング４６の前壁部４９は、その上部側が後斜め上方へ傾斜している。ファンハウジング４６の後壁部５０も、その上部側が後斜め上方へ傾斜している。したがって、第１吐出口５２は、ファンハウジング４６の後側に偏った位置に配置されている。第１吐出口５２は、メインファン３７の回転軸４０よりも後側に配置されている。第１吐出口５２は、機械室Ｓ２の上部側の領域に入り込んでいる。したがって、第１吐出口５２を鉛直方向の上方から見たとき、第１吐出口５２は機械室Ｓ２に重なっている。ファンハウジング４６の前壁部４９の上部側における傾斜は、メインファン３７から排出された空気の流れを後方へ案内する機能を有する。
【００４０】
ファンハウジング４６の前壁部４９は、その下部が後斜め下方へ傾斜し、下端が底壁部５１の前端に接続されている。ファンハウジング４６の後壁部５０は、その下部が前斜め下方へ傾斜し、下端が底壁部５１の後端に接続されている。
【００４１】
ファンハウジング４６の第１吐出口５２の上方には、筐体１１の上壁１２に形成された後側空気吹出口２２が配置されている。メインファン３７の駆動によりファンハウジング４６内に吸い込まれた空気は、第１吐出口５２を介して後側空気吹出口２２から上方へ吹き出される。
【００４２】
筐体１１の上壁１２における後側空気吹出口２２の前側には、前側空気吹出口（第３空気吹出口）２３が配置されている。前側空気吹出口２３には、サブファン３８が配置されている。サブファン３８は、回転軸心Ｃ２に沿った空気流を生成する軸流ファンである。本実施形態のサブファン３８は、プロペラファンである。サブファン３８は、上下方向に沿って配置された回転軸５４と、この回転軸５４を駆動するモータ５３とを有する。サブファン３８の直径（口径）は、メインファン３７の直径（口径）よりも小さい。
【００４３】
サブファン３８の外周は、ベルマウス５５によって囲まれている。このベルマウス５５が、実質的に前側空気吹出口２３を形成している。サブファン３８の回転軸心Ｃ２は、メインファン３７の回転軸心Ｃ１よりも前側壁１６側に配置されている。サブファン３８は、図２に示すように、平面視においてメインファン３７と重なる位置に配置されている。サブファン３８を駆動すると、下方から上方へ向かう空気流が生成される。そのため、筐体１１の前側壁１６に形成された前側空気取入口２１から筐体１１内に空気が取り入れられ、前側熱交換部３５を通過して上方へ吹き出される。
【００４４】
メインファン３７におけるファンハウジング４６の前壁部４９は、その上部が後斜め上方へ傾斜しているので、ファンハウジング４６の前壁部４９と筐体１１の前側壁１６との間であってサブファン３８の下方には、上部側ほど前後に拡大する空間Ａが形成される。この空間Ａによってサブファン３８と前側空気取入口２１との広い空気の流通路が形成され、前側熱交換部３５を通過する空気の風量を確保することができる。この空間Ａによって、サブファン３８の駆動により筐体１１の左側空気取入口１９及び右側空気取入口２０からも空気が取り入れられ、左側熱交換部３３及び右側熱交換部３４を通過した空気が前側空気吹出口２３から吹き出される。ただし、サブファン３８によって左側空気取入口１９及び右側空気取入口２０から取り入れられる空気の量は、メインファン３７によって左側空気取入口１９及び右側空気取入口２０から取り入れられる空気の量よりも小さい。
【００４５】
ファンハウジング４６、特に前壁部４９は、メインファン３７による空気流の生成領域と、サブファン３８による空気流の生成領域を仕切る仕切部材として機能している。上述したように、サブファン３８は、平面視においてメインファン３７と重なった位置に配置されているが、ファンハウジング４６の前壁部４９は、その上部側が後斜め上方へ傾斜しているので、メインファン３７により生成される空気流に対しては、空気の整流機能（ガイド機能）を果たし、サブファン３８により生成される空気流に対しては、風量確保のために機能している。
【００４６】
メインファン３７におけるモータ４３と、サブファン３８におけるモータ５３とは、コントローラ５７により動作制御される。このコントローラ５７は、機械室Ｓ２に収容される電装品ユニットに設けられる。コントローラ５７は、空調負荷に応じてメインファン３７とサブファン３８との双方を駆動する形態、又は、いずれか一方を駆動する形態で制御を行う。双方又はいずれか一方のモータ４３，５３はインバータモータであってもよい。この場合、コントローラ５７は、空調負荷に応じてモータ４３，５３の運転周波数を制御することができる。
【００４７】
（熱交換装置の変形例）
熱交換装置２５は、図６に示すように変形することができる。
図６（ａ）に示す変形例は、熱交換装置２５が、筐体１１の左側壁（第１側壁）１４に沿って配置された左側熱交換部（第１熱交換部）３３と、右側壁（第２側壁）１５に沿って配置された右側熱交換部（第２熱交換部）３４とを備えている。左側熱交換部３３と右側熱交換部３４とは分離し、それぞれ独立している。メインファン３７の駆動によって左側空気取入口（第１空気取入口）１９及び右側空気取入口（第２空気取入口）２０の双方から空気が筐体１１内へ取り込まれ、左側熱交換部３３及び右側熱交換部３４を通過して上方へ吹き出される。この場合、前側熱交換部は存在しないので、前側空気取入口及びサブファンを省略することができる。サブファンは、熱交換装置２５が前側熱交換部３５を有する構成においても省略することができる。
【００４８】
図６（ｂ）に示す変形例は、熱交換装置２５が、伝熱管２８及びフィン３１（図４参照）の組立体を空気の流れ方向に２列に並べて備えている。各列の伝熱管２８は、それぞれ長手方向に一端において連結ヘッダ５８で連通されている。一方の列の伝熱管２８の他端には液冷媒が流れる液側ヘッダ２９が接続され、他方の列の伝熱管２８の他端にはガス冷媒が流れるガス側ヘッダ３０が接続されている。
【００４９】
［第２の実施形態］
図７は、第２の実施形態に係るヒートポンプ装置の斜視図である。図８は、ヒートポンプ装置の概略的な水平断面図である。図９は、ヒートポンプ装置の概略的な垂直断面図である。図１０は、ファン及びファンハウジングを示す斜視図である。
【００５０】
本実施形態のヒートポンプ装置１０は、第１の実施形態と同様に室外機である。この室外機１０は、筐体１１、熱交換装置２５、及びファン装置２６を備えている。
筐体１１は、第１の実施形態と同様に直方体に形成されている。筐体１１は、上壁１２、下壁１３、左側壁１４、右側壁１５、前側壁１６、及び後側壁１７を有する。左側壁１４及び右側壁１５には、それぞれ左側空気取入口１９と右側空気取入口２０とが形成されている。
【００５１】
筐体１１の上壁１２には、１つの上側空気吹出口（第１空気吹出口）６１が形成されている。筐体１１の前側壁１６には、１つの下側空気吹出口（第２空気吹出口）６２が形成されている。上側空気吹出口６１及び下側空気吹出口６２には、保護網２４、７４が設けられている。
【００５２】
図８及び図９に示すように、熱交換装置２５は、空気と冷媒との間で熱交換を行う左側熱交換部３３及び右側熱交換部３４を有する。左側熱交換部３３と右側熱交換部３４とは互いに左右方向に分離し、それぞれ独立している。ただし、左側熱交換部３３と右側熱交換部３４とは図示しない冷媒管により接続され、冷媒が流れる経路として連続している。
【００５３】
ファン装置２６は、第１の実施形態におけるサブファン（第２ファン）３８（図３参照）を備えておらず、メインファン（第１ファン）３７に相当するファン６５のみを備えている。ファン６５は、第１実施形態のメインファン３７と同様に、左翼部７１、右翼部７２、モータ４３、及び支持台４４等を有する。本実施形態のファン６５は、斜流ファンにより構成されている。左翼部７１及び右翼部７２は、それぞれ複数の羽根を周方向に間隔をあけて備えている。左翼部７１の羽根と右翼部７２の羽根とは、周方向に位相をずらして配置されている。ファン６５は、遠心ファンであってもよい。
【００５４】
ファン６５の左翼部７１と右翼部７２とはファンハウジング４６内に収容されている。ファンハウジング４６は、第１の実施形態と同様に、左壁部（第１壁部）４７、右壁部（第２壁部）４８、前壁部（第３壁部）４９、後壁部（第４壁部）５０、及び底壁部５１を有している。
【００５５】
ファンハウジング４６の左壁部４７には、左吸込口（第１吸込口）４７ａが形成されている。ファンハウジング４６の右壁部４８には、右吸込口（第２吸込口）４８ａが形成されている。ファンハウジング４６の上端には、上方へ向けて開口する上側吐出口（第１吐出口）６３が形成されている。
【００５６】
本実施形態のファンハウジング４６の前壁部４９は、第１の実施形態の前壁部４９のように上部側が後斜め上方に傾斜しておらず、上下方向に沿って直線状に延びている。そのため、上側吐出口６３は、第１の実施形態の第１吐出口５２よりも前後方向に広い範囲で形成されている。具体的に、上側吐出口６３は、前後方向において左右の熱交換部３３，３４の長さに渡る範囲、より具体的には、左右の熱交換部３３，３４の長さよりも広い範囲で形成されている。上側吐出口６３は、筐体１１の上壁１２に形成された上側空気吹出口６１に対向し、上側空気吹出口６１と略同じ大きさに形成されている。上側空気吹出口６１も、左右の熱交換部３３，３４の前後方向の長さに渡る範囲で形成されている。
【００５７】
ファンハウジングの前壁部４９には、下側吐出口（第２吐出口）６４が形成されている。下側吐出口６４は、前方に向けて開口し、筐体１１の前側壁１６に形成された下側空気吹出口６２に対向して配置されている。下側吐出口６４は、下側空気吹出口６２と略同じ大きさに形成されている。下側吐出口６４は、下側空気吹出口６２よりも小さく前側から見て下側空気吹出口６２の範囲内に配置されるように形成されていてもよい。
【００５８】
下側吐出口６４及び下側空気吹出口６２の上端は、ファン６５と前壁部４９との間隔Ｔが最も狭くなる位置、つまりファン３７の軸心Ｃ１を通る水平線Ｌ１上の位置又は当該位置の近傍に配置されている。下側吐出口６４及び下側空気吹出口６２の上下方向の中央の位置Ｌ２は、軸心Ｃ１の位置よりも下方に配置されている。
【００５９】
ファン６５の左翼部７１及び右翼部７２は、回転することによって左右の空気取入口１９，２０からファンハウジング４６内に空気を吸い込み、上側吐出口６３と、下側吐出口６４とから空気を吐出する。上側吐出口６３から吐出された空気は、図９に矢印で示すように、上側空気吹出口６１から筐体１１の上方へ吹き出される。下側吐出口６４から吐出された空気は、図９に矢印で示すように、下側空気吹出口６２から筐体１１の前方へ吹き出される。
【００６０】
本実施形態のファン装置２６は、第１の実施形態のようなサブファン３８を備えていない。そのため、左側熱交換部３３及び右側熱交換部３４の外縁部付近を通過する空気の風速が低下する可能性がある。しかし、本実施形態では、左右の翼部７１，７２として斜流ファンが用いられ、この斜流ファンは、遠心ファンと比較して有効吸込面積が大きい。そのため、第１の実施形態のようなサブファン３８を備えていなくても、左側熱交換部３３及び右側熱交換部３４を通過する空気の風速を広範囲で高めることができ、左側熱交換部３３及び右側熱交換部３４における熱交換効率を向上させることができる。
【００６１】
図９に示すように、ファン６５が矢印ｃ方向に回転した場合、矢印ｄで示すような空気の流れが生成される。特に、ファン６５の下側では、前方へ向けた空気の流れが生成される。本実施形態のファンハウジング４６は、ファン６５との前後方向の間隔が上下方向の間隔に比べて小さくなっている。そのため、本実施形態のような下側吐出口６４が形成されていない場合には、ファン６５の下側における空気の流れは、ファン６５と前壁部４９との間の狭い間隔Ｔを通過して上方へ抜けることになり、大きな通風抵抗が生じる。この通風抵抗は、ファン６５の風量を低下させ、騒音を発生させる原因となる。
【００６２】
本実施形態では、ファン６５の下側において前方へ向けて流れる空気は、下側吐出口６４を通過して下側空気吹出口６２から筐体１１の外部へ吹き出される。これにより、ファンハウジング４６内の通風抵抗を小さくすることができ、ファン６５の風量を高め、騒音も低減することができる。
【００６３】
上側吐出口６３及び上側空気吹出口６１は、前後方向において左右の熱交換部３３，３４の長さにわたる広範囲に形成されているので、上方へ吐出される空気の流れの抵抗も小さくなり、ファン６５の風量を高めることができる。
【００６４】
第２の実施形態において、ファンハウジング４６の前壁部４９と筐体１１の前側壁１６とは供用されていてもよい。例えば、ファンハウジング４６の前壁部４９を省略し、ファンハウジング４６の左右壁部４７，４８の前端を直接的に筐体１１の前側壁１６に接続してもよい。ファンハウジング４６の底壁部５１と筐体１１の下壁１３とも供用されていてもよい。例えば、ファンハウジング４６の底壁部５１を省略し、ファンハウジング４６の左右壁部４７，４８及び前後壁部４９，５０の下端を直接筐体１１の下壁１３に接続してもよい。
【００６５】
＜実施形態の作用効果＞
（１）  近年、労働力の減少という社会的な問題を背景として、空調分野においても空調設備を設置する際の少人数化や工数削減が求められている。そのため、室外機１０をできるだけ小型化し、運搬及び設置作業を省力化することが望まれている。一方では、小型の室外機１０の熱交換能力を高めることで、より規模の大きな設備にも適用できるようにすることも望まれている。
【００６６】
上述した第１及び第２の実施形態の室外機１０は、互いに対向する左側壁１４及び右側壁１５、並びに上壁１２を有する筐体１１と、筐体１１内に収容される熱交換装置２５及びファン３７，６５とを備えている。左側壁１４及び右側壁１５には、それぞれ左側空気取入口１９及び右側空気取入口２０が設けられ、上壁１２には、第１空気吹出口（後側空気吹出口２２又は上側空気吹出口６１）が設けられている。熱交換装置２５は、左側壁１４及び右側壁１５に沿って配置された左側熱交換部３３及び右側熱交換部３４を含む。ファン３７，６５は、左側熱交換部３３と右側熱交換部３４との間に挟まれて配置される。ファン３７，６５は、左側壁１４及び右側壁１５に交差する方向の回転軸心Ｃ１を有する。ファン３７，６５は、左側空気取入口１９及び右側空気取入口２０から空気を取り入れて第１空気吹出口２２，６１へ空気を排出する。
【００６７】
以上の構成により、ファン３７，６５が駆動されることによって、筐体１１の互いに対向する左側壁１４及び右側壁１５に形成された左側空気取入口１９及び右側空気取入口２０の双方から空気が吸い込まれ、左側熱交換部３３及び右側熱交換部３４の双方において空気と冷媒との間で熱交換が行われる。これにより、熱交換装置２５の熱交換能力を向上させることができる。
【００６８】
（２）  第１の実施形態のメインファン３７は、遠心ファンであるため、軸流ファンに比べて静圧が高い。より詳しくは、軸流ファンに比べて機外の静圧に対する風量の低下が小さい。そのため、周囲に障害物があったり小型の筐体１１であったりしても風量を確保することができる。なお、メインファン３７は、斜流ファンであってもよい。
【００６９】
（３）  筐体１１は、直方体であり、４つの側壁のうち面積のより広い左側壁１４及び右側壁１５に沿って左右の熱交換部３３，３４が配置され、左右側壁１４，１５に形成された左側空気取入口１９及び右側空気取入口２０の双方から空気を取り入れて熱交換を行うので、より熱交換能力を向上させることができる。
【００７０】
（４）  第２の実施形態の熱交換装置２５は、左側熱交換部３３と右側熱交換部３４とが分離している。筐体１１は、左側壁１４と右側壁１５との近接する端部同士を接続する前側壁１６を有しており、前側壁１６に下側空気吹出口６２が形成されている。そのため、上側空気吹出口６１からだけでなく下側空気吹出口６２からも空気を吹き出すことができ、筐体１１内の通風抵抗を小さくし、ファン６５の風量を増大することができる。
【００７１】
（５）  第２の実施形態の室外機１０は、ファン６５を収容するファンハウジング４６を筐体１１内に備え、ファンハウジング４６が、上側空気吹出口６１に対向する上側吐出口６３と、下側空気吹出口６２に対向する下側吐出口６４とを有する。このようにファンハウジング４６を備えている場合にも、上側吐出口６３及び下側吐出口６４を介して上側空気吹出口６１及び下側空気吹出口６２から空気を吹き出し、ファン６５の風量を増大することができる。
【００７２】
（６）  第１の実施形態の筐体１１は、左側壁１４と右側壁１５との近接する端部同士を接続する前側壁１６を有し、前側壁１６に前側空気取入口２１が設けられている。熱交換装置２５は、前側壁１６に沿って配置された前側熱交換部３５を含んでいる。したがって、熱交換装置２５は、筐体１１の左右側壁１４，１５及び前側壁１６に沿って配置された熱交換部３３，３４，３５を有する。これにより、熱交換能力をより向上させることができる。
【００７３】
（７）  第１及び第２の実施形態において、ファン３７，６５の回転軸心Ｃ１は、左側壁１４および右側壁１５に交差する方向に配置され、ファン３７，６５は、左側熱交換部３３と右側熱交換部３４との間に挟まれて配置されているので、室外機１０の小型化を図ることができる。
【００７４】
（８）  上述した第１の実施形態の室外機１０では、互いに隣接して配置される左側壁１４（又は右側壁１５）と前側壁１６とにそれぞれ左側空気取入口１９（又は右側空気取入口２０）と前側空気取入口２１とが設けられ、上壁１２に後側空気吹出口２２が設けられている。熱交換装置２５は、左側壁１４（又は右側壁１５）及び前側壁１６に沿って配置された左側熱交換部３３（又は右側熱交換部３４）及び前側熱交換部３５を含んでいる。ファン装置２６は、左側壁１４（又は右側壁１５）に交差する方向の回転軸心Ｃ１を有し、左側空気取入口１９（又は右側空気取入口２０）から空気を取り入れて後側空気吹出口２２へ空気を排出するメインファン３７と、前側空気取入口２１から空気を取り入れるサブファン３８とを含んでいる。
【００７５】
以上の構成により、メインファン３７及びサブファン３８が駆動されることによって、筐体１１の互いに隣接する左側壁１４（又は右側壁１５）と前側壁１６とに形成された左側空気取入口１９（又は右側空気取入口２０）と前側空気取入口２１とからそれぞれ空気が吸い込まれ、左側熱交換部３３（又は右側熱交換部３４）と前側熱交換部３５とに効率よく空気が供給されるので、熱交換装置２５の熱交換能力を向上させることができる。
【００７６】
（９）  第１の実施形態において、サブファン３８の口径は、メインファン３７の口径よりも小さい。そのため、左側熱交換部３３、右側熱交換部３４、及び前側熱交換部３５の大きさに応じてメインファン３７とサブファン３８の風量を適正化することができる。
【００７７】
（１０）  第１の実施形態において、熱交換装置２５は、筐体１１の左右側壁１４，１５及び前側壁１６に沿って配置された左側熱交換部３３、右側熱交換部３４、及び前側熱交換部３５を備えている。これらは、それぞれ別体の熱交換器により構成することもできる。本実施形態の熱交換装置２５は、左側熱交換部３３、右側熱交換部３４、及び前側熱交換部３５が一体に形成されているので、これらが別体の熱交換器により構成される場合に比べて熱交換装置２５の構造を簡素化し、小型化することができる。
【００７８】
（１１）  第１の実施形態において、室外機１０は、メインファン３７とサブファン３８との間に配置され、各ファン３７，３８の空気流生成領域を区画するファンハウジング４６（仕切部材）を備えている。そのため、メインファン３７及びサブファン３８によって生成される空気流が相互に干渉するのを抑制することができる。
【００７９】
（１２）  第１の実施形態において、筐体１１の上壁１２には、サブファン３８により生成された空気流を吹出す前側空気吹出口２３が設けられている。そのため、サブファン３８によって前側壁１６の前側空気取入口２１から空気を取り入れ、上壁１２から円滑に空気を吹き出すことができる。
【００８０】
（１３）  第１の実施形態において、サブファン３８は、上壁１２に交差する方向の回転軸心を有するプロペラファンである。そのため、サブファン３８によって上下方向の空気流を生成し、前側空気取入口２１から取り入れた空気を前側熱交換部３５に通過させた後、前側空気吹出口２３から上方へ吹き出すことができる。
【００８１】
（１４）  第１の実施形態において、サブファン３８は、メインファン３７の上端よりも上側に配置されている。そのため、サブファン３８によって上方への空気流をより生成しやすくなる。その結果、前側熱交換部３５の熱交換能力をより向上させることができる。サブファン３８は、平面視においてメインファン３７に重なる位置に配置されている。そのため、筐体１１を小型化することができる。なお、サブファン３８は、プロペラファンに限らず、シロッコファン等の遠心ファンであってもよい。この場合も、同様の作用効果を期待することができる。
【００８２】
（１５）  上述した第１の実施形態では、前側空気吹出口２３が、上壁１２のうち前側壁１６に近い側に配置され、後側空気吹出口２２が前側壁１６から離れた側に配置されている。そのため、サブファン３８及びメインファン３７によって生成された空気流を相互に干渉することなく上壁１２から吹き出すことができる。
【００８３】
（１６）  第１の実施形態において、室外機１０は、メインファン３７とサブファン３８とを個別に運転制御するコントローラ５７を備えている。そのため、運転中に必要な熱交換能力に応じてメインファン３７及びサブファン３８を個別に動作制御することができる。
【００８４】
（１７）  第２の実施形態において、上側空気吹出口６１は、左側壁１４及び右側壁１５に沿った水平な方向（前後方向）における、左側熱交換部３３及び右側熱交換部３４の長さに渡る範囲で形成されている。そのため、上側空気吹出口６１を前後方向に拡大し、ファン６５の風量を増大することができる。
【００８５】
（１８）  第１及び第２の実施形態において、左側壁１４及び右側壁１５に沿った水平な方向（前後方向）における筐体１１の一側部に機械室Ｓ２が形成され、第１吐出口５２，６３を鉛直方向の上方から見たときに第１吐出口５２，６３が機械室Ｓ２に重なっている。そのため、第１吐出口５２，６３を前後方向に拡大し、ファンの風量を増大することができる。
【００８６】
（１９）  第２の実施形態において、ファン６５は、斜流ファンである。そのため、ターボファン等の遠心ファンに比べて有効吸込面積を拡大し、左側熱交換部３３及び右側熱交換部３４において効率よく熱交換することができる。
【００８７】
（２０）  第１及び第２の実施形態において、熱交換装置２５の伝熱管２８は、アルミニウム製又はアルミニウム合金製の扁平多穴管からなっている。そのため、伝熱管２８として円管を用いた場合に比べて、熱交換能力を高めることができる。アルミニウム製又はアルミニウム合金製の伝熱管２８を用いることで、熱交換装置２５の軽量化及びコストダウンを図ることができる。
【００８８】
（２１）  上述した第１及び第２の実施形態では、室外機１０が、ファン３７，６５の回転軸心方向の一側部において、ファン３７，６５を片持ち状に支持する支持台４４を有している。このように、支持台４４によってファン３７，６５を片持ち支持することで筐体１１の小型化を図ることができる。支持台４４は、ファン３７，６５の風路上に配置せざるを得ないので、ファン３７，６５の回転軸心方向の一側部のみに支持台４４を設けることで、支持台４４による空気抵抗の増大を抑えることができる。
【００８９】
（２２）  上述した第１及び第２の実施形態では、筐体１１の底面積が、０．６ｍ２以下である。ＪＩＳ  Ａ  ４３０１−１９８３（エレベーターのかご及び昇降路の寸法）の規定では、最大定員が最小（６人乗り）のエレベータは室内面積が１．１７ｍ２以上である。そのため、筐体１１の底面積が０．６ｍ２以下であることによって、室外機１０をエレベータに積載して運搬することができる。したがって、室外機１０を建物の屋上等に設置する場合にエレベータを用いることができ、クレーン等の重機が不要となるので、空調設備の設置に係る費用、時間、人員等を削減することができる。
【００９０】
（２３）  上述した第１及び第２の実施形態では、室外機１０の重量が１１０ｋｇ以下である。そのため、二人作業で室外機１０を運搬することができる。
【００９１】
なお、本開示は、以上の例示に限定されるものではなく、特許請求の範囲によって示され、特許請求の範囲と均等の意味及び範囲内でのすべての変更が含まれることが意図される。
【００９２】
熱交換装置２５は、上記実施形態に限定されるものではない。例えば、上記実施形態では、ヒートポンプ装置が室外機１０である場合を説明したが、空気調和機の室内機にも適用することができる。
上記実施形態及び変形例では、筐体１１の左側壁１４を第１側壁、右側壁１５を第２側壁として説明していたが、左側壁１４を第２側壁、右側壁１５を第１側壁としてもよい。同様に、左側空気取入口１９を第２空気取入口とし、右側空気取入口２０を第１空気取入口としてもよい。熱交換装置２５の左側熱交換部３３を第２熱交換部とし、右側熱交換部３４を第１熱交換部としてもよい。
【符号の説明】
【００９３】
１０    ：室外機（ヒートポンプ装置）
１１    ：筐体
１２    ：上壁
１４    ：左側壁（第１側壁）
１５    ：右側壁（第２側壁）
１６    ：前側壁（第３側壁）
１９    ：左側空気取入口（第１空気取入口）
２０    ：右側空気取入口（第２空気取入口）
２１    ：前側空気取入口（第３空気取入口）
２２    ：後側空気吹出口（第１空気吹出口）
２５    ：熱交換装置
２８    ：伝熱管
３３    ：左側熱交換部（第１熱交換器）
３４    ：右側熱交換部（第２熱交換器）
３５    ：前側熱交換部（第３熱交換器）
３７    ：メインファン
４１    ：左翼部（第１翼部）
４２    ：右翼部（第２翼部）
４３    ：モータ
４４    ：支持台
５２    ：第１吐出口５２
６１    ：上側空気吹出口（第１空気吹出口）
６２    ：下側空気吹出口（第２空気吹出口）
６３    ：上側吐出口（第１吐出口）
６４    ：下側吐出口（第２吐出口）
６５    ：ファン
Ｃ１    ：回転軸心
【図１】
2020173090.tif 000003
【図２】
2020173090.tif 000004
【図３】
2020173090.tif 000005
【図４】
2020173090.tif 000006
【図５】
2020173090.tif 000007
【図６】
2020173090.tif 000008
【図７】
2020173090.tif 000009
【図８】
2020173090.tif 000010
【図９】
2020173090.tif 000011
【図１０】
2020173090.tif 000012